(57)【要約】【課題】特定の被写体に対して特定の処理を行うことを、視認性よくユーザに示すようにする。【解決手段】デジタルカメラ１００において、顔追尾ＡＦに設定されているとき、撮像部２２により撮像されたライブビュー画像を表示部２８に表示するとともに、撮影準備指示がされる前に人物の顔を検出したことに応じて、表示部２８に顔枠４０１を表示し、顔を検出していない状態で撮影準備指示がされたことに応じて、表示部２８に合焦枠５０１を表示する。合焦枠５０１を表示した後に顔を検出したことに応じて、合焦枠５０１の表示形態を変えて、顔の表情を見やすくするようにした顔用合焦枠５０３を表示する。【選択図】図１
2018067802.tif 000002
【特許請求の範囲】
【請求項１】
撮像部により撮像された画像中の所定の被写体を検出する検出手段と、
前記撮像部により撮像されたライブビュー画像を表示部に表示する表示制御手段と、
撮影準備指示がされる前に前記検出手段が前記所定の被写体を検出したことに応じて、前記ライブビュー画像に重畳して第１のアイテムを表示し、
前記検出手段が前記所定の被写体を検出していない状態で撮影準備指示がされたことに応じて、前記ライブビュー画像に重畳して第２のアイテムを表示し、
前記第２のアイテムを表示した後に前記検出手段が前記所定の被写体を検出したことに応じて、前記第２のアイテムの表示形態を変えるように制御する制御手段とを有することを特徴とする撮像制御装置。
【請求項２】
前記第２のアイテムは、前記第１のアイテムよりも、前記所定の被写体に重畳して表示される領域が大きくなることを特徴とする請求項１に記載の撮像制御装置。
【請求項３】
前記第２のアイテムは、所定の処理に関する範囲を示す複数の所定の大きさのアイテムであり、前記制御手段は、前記撮影準備指示がされた際に前記第１のアイテムが表示されている場合には、前記所定の被写体と重畳して前記所定の処理に関する複数の前記所定の大きさを統合した大きさのアイテムが表示されるように制御することを特徴とする請求項１又は２に記載の撮像制御装置。
【請求項４】
前記所定の処理はオートフォーカス処理であり、前記制御手段は、前記撮像部により撮像されたライブビュー画像のうちオートフォーカス処理がされた被写体の範囲を前記所定の大きさのアイテムで示すように制御することを特徴とする請求項３に記載の撮像制御装置。
【請求項５】
前記制御手段は、第１のアイテムを検出した前記所定の被写体の大きさに基づいた大きさで表示するようにし、前記第２のアイテムを前記所定の被写体に基づかない大きさで表示するように制御する請求項１乃至４のいずれか１項に記載の撮像制御装置。
【請求項６】
前記制御手段は、前記第２のアイテムを表示した後に前記検出手段が前記所定の被写体を検出すると、前記第２のアイテムの透過率を低下するように制御することを特徴とする請求項１乃至５のいずれか１項に記載の撮像制御装置。
【請求項７】
前記制御手段は、前記第２のアイテムを表示した後に前記検出手段が前記所定の被写体を検出すると、前記第２のアイテムを構成する線の数、前記第２のアイテムの形状、前記第２のアイテムのサイズ、及び前記第２のアイテムの色のうち少なくともいずれかを変えるように制御することを特徴とする請求項１乃至５のいずれか１項に記載の撮像制御装置。
【請求項８】
前記制御手段は、前記第２のアイテムが表示された後に前記検出手段が前記所定の被写体を検出した際に、前記第２のアイテムのうち前記所定の被写体の位置を示す部分の表示形態を変え、前記第２のアイテムのうち前記部分とは異なる部分の表示形態を変えないように制御することを特徴とする請求項１乃至７のいずれか１項に記載の撮像制御装置。
【請求項９】
前記第１のアイテムは前記所定の被写体の領域を示す枠であることを特徴とする請求項１乃至８のいずれか１項に記載の撮像制御装置。
【請求項１０】
前記所定の被写体は人物の顔であることを特徴とする請求項１乃至９のいずれか１項に記載の撮像制御装置。
【請求項１１】
前記制御手段は、前記第１のアイテムが表示されている場合に、前記撮影準備指示がされたことに応じて、前記第１のアイテムが表示されている位置でオートフォーカス処理を行うように制御することを特徴とする請求項１乃至１０のいずれか１項に記載の撮像制御装置。
【請求項１２】
前記制御手段は、前記第１のアイテムが表示されている際に前記撮影準備指示がされたことにより、前記第１のアイテムが表示されている位置で合焦がされた場合と、前記第１のアイテムが表示されている位置で合焦がされなかった場合とで、前記第１のアイテムの表示形態を変えるように制御することを特徴とする請求項１１に記載の撮像制御装置。
【請求項１３】
前記検出手段は、前記撮像部により撮像された画像における前記所定の被写体の大きさが所定の大きさ以上の場合に、前記所定の被写体として検出することを特徴とする請求項１乃至１２のいずれか１項に記載の撮像制御装置。
【請求項１４】
前記表示制御手段は、前記所定の被写体を追尾して合焦するモードにおいて、前記制御を行うことを特徴とする請求項１乃至１３のいずれか１項に記載の撮像制御装置。
【請求項１５】
撮像部により撮像された画像中の所定の被写体を検出する機能を有する撮像装置の制御方法であって、
前記撮像部により撮像されたライブビュー画像を表示部に表示するステップと、
撮影準備指示がされる前に前記所定の被写体を検出したことに応じて、前記ライブビュー画像に重畳して第１のアイテムを表示し、
前記所定の被写体を検出していない状態で撮影準備指示がされたことに応じて、前記ライブビュー画像に重畳して第２のアイテムを表示し、
前記第２のアイテムを表示した後に前記所定の被写体を検出したことに応じて、前記第２のアイテムの表示形態を変えるように制御するステップとを有することを特徴とする撮像装置の制御方法。
【請求項１６】
コンピュータを、請求項１乃至１４のいずれか１項に記載された撮像制御装置の各手段として機能させるためのプログラム。
【請求項１７】
コンピュータを、請求項１乃至１４のいずれか１項に記載された撮像制御装置の各手段として機能させるためのプログラムを格納したコンピュータが読み取り可能な記憶媒体。
【発明の詳細な説明】
【技術分野】
【０００１】
本発明は、撮像制御装置に関し、特に所定の被写体に重畳してアイテムを表示する際の技術に関する。
【背景技術】
【０００２】
撮像画像上において、特定の処理を行う位置をユーザに示すために画像上にアイテムを表示することがある。特許文献１にはＡＦ処理を行う位置を示すために撮像画像上に枠を表示することが記載されている。また、撮像画像において特定の被写体のある位置を示す表示をすることもある。特許文献２には撮像画像において人物の顔が検出されたことに応じて、顔枠を表示することが記載されている。
【先行技術文献】
【特許文献】
【０００３】
【特許文献１】特開２００８−１３９６５８号公報
【特許文献２】特開２０１４−１７６６５号公報
【発明の概要】
【発明が解決しようとする課題】
【０００４】
人物の顔が検出された位置に特定の処理を行う場合がある。特許文献１のように特定の処理を行う位置を表示した後に、特定の処理を行う領域内で人物の顔が検出された場合、特許文献２の方法では顔枠が新たに表示される。人物の顔の領域には予め特定の処理を行う位置として表示がされているので、人物の顔が見えにくくなってしまう可能性がある。
【０００５】
本発明は上記のような点に鑑みてなされたものであり、特定の被写体に対して特定の処理を行うことを、視認性よくユーザに示すようにすることを目的とする。
【課題を解決するための手段】
【０００６】
本発明の撮像制御装置は、撮像部により撮像された画像中の所定の被写体を検出する検出手段と、前記撮像部により撮像されたライブビュー画像を表示部に表示する表示制御手段と、撮影準備指示がされる前に前記検出手段が前記所定の被写体を検出したことに応じて、前記ライブビュー画像に重畳して第１のアイテムを表示し、前記検出手段が前記所定の被写体を検出していない状態で撮影準備指示がされたことに応じて、前記ライブビュー画像に重畳して第２のアイテムを表示し、前記第２のアイテムを表示した後に前記検出手段が前記所定の被写体を検出したことに応じて、前記第２のアイテムの表示形態を変えるように制御する制御手段とを有することを特徴とする。
【発明の効果】
【０００７】
本発明によれば、特定の被写体に対して特定の処理を行うことを、視認性よくユーザに示すことができる。
【図面の簡単な説明】
【０００８】
【図１】実施形態に係るデジタルカメラの外観図である。
【図２】実施形態に係るデジタルカメラの構成例を示すブロック図である。
【図３】実施形態に係るデジタルカメラによる処理動作を示すフローチャートである。
【図４】撮像された画像と共にアイテムを表示する表示例を示す図である。
【図５】撮像された画像と共にアイテムを表示する表示例を示す図である。
【発明を実施するための形態】
【０００９】
以下、添付図面を参照して、本発明の好適な実施形態について説明する。
図１（ａ）、（ｂ）に本発明を適用した撮像制御装置として機能する撮像装置の一例としてのデジタルカメラの外観図を示す。図１（ａ）はデジタルカメラ１００の前面斜視図であり、図１（ｂ）はデジタルカメラ１００の背面斜視図である。図１において、表示部２８は、画像や各種情報を表示する、カメラ背面に設けられた表示部である。シャッターボタン６１は、影準備指示や撮影指示を行うための操作部である。モード切替スイッチ６０は、各種モードを切り替えるための操作部である。端子カバー４０は、外部機器との接続ケーブルとデジタルカメラ１００とを接続する接続ケーブル等のコネクタ（不図示）を保護するカバーである。
【００１０】
メイン電子ダイヤル７１は、回転操作部材であり、このメイン電子ダイヤル７１を回すことで、シャッター速度や絞り等の設定値の変更等が行える。電源スイッチ７２は、デジタルカメラ１００の電源のＯＮ及びＯＦＦを切り替える操作部材である。サブ電子ダイヤル７３は、回転操作部材であり、選択枠の移動や画像送り等を行える。十字キー７４は、上、下、左、右部分をそれぞれ押し込み可能なキー（４方向キー）である。十字キー７４の押した部分に応じた操作が可能である。なお、十字キー７４の代わりに、或いは十字キーに加えて、ポインティングスティックを設けても良い。ＳＥＴボタン７５は、押しボタンであり、主に選択項目の決定等に用いられる。
【００１１】
ＬＶボタン７６は、静止画撮影モードにおいてライブビュー（以下、ＬＶ）のＯＮとＯＦＦを切り替えるボタンである。また、ＬＶボタン７６は、動画撮影モードにおいては、動画撮影（記録）の開始、停止の指示に用いられる。再生ボタン７９は、撮影モードと再生モードとを切り替える操作ボタンである。撮影モード中に再生ボタン７９を押下することで再生モードに移行し、記録媒体２００に記録された画像のうち最新の画像を表示部２８に表示させることができる。
【００１２】
レンズユニット１５０は、レンズを含んでおり、レンズ位置を変更することにより焦点を調整可能である。また、絞りやシャッター速度等についてもレンズユニットにおいて調整することができる。
接眼ファインダ１６は、ファインダ内表示部４１（図２）を観察することで、レンズユニット１５０（図２）を通して得た被写体の撮像画像の焦点や構図の確認を行うための覗き込み型のファインダー（以下、ファインダ１６）である。蓋２０２は、記録媒体２００（図２）を格納するためのスロットの蓋である。グリップ部９０は、ユーザがデジタルカメラ１００を構えた際に右手で握りやすい形状とした保持部である。
【００１３】
ＩＮＦＯボタン８３は、表示部２８に表示する画面を切り替えるのに用いられる。ＭＥＮＵボタン８４は、表示部２８の表示をメニュー画面に遷移させるための操作ボタンである。
【００１４】
図２は、本実施形態に係るデジタルカメラ１００の構成例を示すブロック図である。
図２において、撮影レンズ１０３はズームレンズ、フォーカスレンズを含むレンズ群である。シャッター１０１は絞り機能を備えるシャッターである。撮像部２２は光学像を電気信号に変換するＣＣＤやＣＭＯＳ素子等で構成される撮像素子である。Ａ／Ｄ変換器２３は、撮像部２２から出力されるアナログ信号をデジタル信号に変換するために用いられる。
【００１５】
画像処理部２４は、Ａ／Ｄ変換器２３からのデータ、又は、メモリ制御部１５からのデータに対し所定の画素補間、縮小といったリサイズ処理や色変換処理を行う。また、画像処理部２４は、撮像した画像データを用いて所定の演算処理を行い、得られた演算結果に基づいてシステム制御部５０が露光制御、測距制御を行う。これにより、ＴＴＬ（スルー・ザ・レンズ）方式のＡＦ処理（オートフォーカス処理）、ＡＥ処理（自動露出処理）、ＥＦ処理（フラッシュプリ発光処理）が行われる。画像処理部２４では更に、撮像した画像データを用いて所定の演算処理を行い、得られた演算結果に基づいてＴＴＬ方式のＡＷＢ処理（オートホワイトバランス処理）も行う。
【００１６】
Ａ／Ｄ変換器２３からの出力データは、画像処理部２４及びメモリ制御部１５を介して、或いは、画像処理部２４を介さずメモリ制御部１５を介してメモリ３２に直接書き込まれる。メモリ３２は、撮像部２２によって得られＡ／Ｄ変換器２３によりデジタルデータに変換された画像データや、表示部２８に表示するための画像データ（アイテム等）を格納する。メモリ３２は、所定枚数の静止画像や所定時間の動画像及び音声を格納するのに十分な記憶容量を備えている。
また、メモリ３２は画像表示用のメモリ（ビデオメモリ）を兼ねている。Ｄ／Ａ変換器１３は、メモリ３２に格納されている画像表示用のデータをアナログ信号に変換して表示部２８に供給する。こうして、メモリ３２に書き込まれた表示用の画像データはＤ／Ａ変換器１３を介して表示部２８により表示される。表示部２８は、ＬＣＤ等の表示器上に、Ｄ／Ａ変換器１３からのアナログ信号に応じた表示を行う。Ａ／Ｄ変換器２３によって一度Ａ／Ｄ変換されメモリ３２に蓄積されたデジタル信号をＤ／Ａ変換器１３においてアナログ変換し、表示部２８に逐次転送して表示することで、電子ビューファインダとして機能し、スルー画像表示（ライブビュー表示）を行える。
【００１７】
不揮発性メモリ５６は、システム制御部５０によって電気的に消去・記録・読出し可能な記録媒体としてのメモリであり、例えばＥＥＰＲＯＭ等が用いられる。不揮発性メモリ５６には、システム制御部５０の動作用の定数、プログラム等が記憶される。ここでいう、プログラムとは、本実施形態にて後述する各種フローチャートを実行するためのコンピュータプログラムのことである。
システム制御部５０は、少なくとも１つのプロセッサーを内蔵し、デジタルカメラ１００全体を制御する。前述した不揮発性メモリ５６に記録されたプログラムを実行することで、後述する本実施形態の各処理を実現する。システムメモリ５２には、ＲＡＭが用いられる。システムメモリ５２には、システム制御部５０の動作用の定数、変数、不揮発性メモリ５６から読み出したプログラム等を展開する。また、システム制御部５０はメモリ３２、Ｄ／Ａ変換器１３、表示部２８等を制御することにより表示制御も行う。
【００１８】
システムタイマー５３は、各種制御に用いる時間や、内蔵された時計の時間を計測する計時部である。
通信部５４は、無線又は有線ケーブルによって接続し、映像信号や音声信号の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像された画像（スルー画像を含む）や、記録媒体２００に記録された画像を送信可能であり、また、外部機器から画像データやその他の各種情報を受信することができる。
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。姿勢検知部５５としては、加速度センサーやジャイロセンサー等を用いることができる。
【００１９】
モード切替スイッチ６０、シャッターボタン６１、操作部７０はシステム制御部５０に各種の動作指示を入力するための操作手段である。モード切替スイッチ６０は、システム制御部５０の動作モードを静止画記録モード、動画撮影モード、再生モード等のいずれかに切り替える。
第１シャッタースイッチ６２は、デジタルカメラ１００に設けられたシャッターボタン６１の操作途中、いわゆる半押し（撮影準備指示）でＯＮとなり第１シャッタースイッチ信号ＳＷ１を発生する。第１シャッタースイッチ信号ＳＷ１により、ＡＦ処理、ＡＥ処理、ＡＷＢ処理、ＥＦ処理等の動作を開始する。
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２により、撮像部２２による静止画撮像動作、撮像部２２からの信号読み出しから記録媒体２００に画像データを書き込むまでの一連の撮影処理の動作を開始する。
操作部７０の各操作部材は、表示部２８に表示される種々の機能アイコンを選択操作すること等により、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００２０】
ファインダ内表示部４１は、ファインダ１６を介して視認可能な表示部であり、表示部２８と同様にスルー画像や、アイテム等の表示をすることができる。
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部に供給する。
電源部３０は、アルカリ電池やリチウム電池等の一次電池やＮｉＣｄ電池やＮｉＭＨ電池、Ｌｉ電池等の二次電池、ＡＣアダプター等からなる。
記録媒体Ｉ/Ｆ１８は、メモリカードやハードディスク等の記録媒体２００とのインターフェースである。記録媒体２００は、撮影時に画像を記録するためのメモリカード等の不揮発性の記録媒体であり、半導体メモリや光ディスク、磁気ディスク等から構成される。
【００２１】
上述したデジタルカメラ１００では、中央１点ＡＦや顔ＡＦを用いた撮影が可能である。中央１点ＡＦとは、撮影画面内の中央位置１点に対してＡＦを行うことである。顔ＡＦとは、顔検出機能によって検出された撮影画面内の顔に対してＡＦを行うことである。ＡＦの方法は、コントラストＡＦ、位相差ＡＦ等いずれの方法でもよい。
【００２２】
顔検出機能について説明する。システム制御部５０は、顔検出対象の画像データを画像処理部２４に送る。システム制御部５０の制御下で画像処理部２４は、当該画像データに水平方向バンドパスフィルタを作用させる。また、システム制御部５０の制御下で画像処理部２４は、処理された画像データに垂直方向バンドパスフィルタを作用させる。これら水平及び垂直方向のバンドパスフィルタにより、画像データよりエッジ成分が検出される。その後、システム制御部５０は、検出されたエッジ成分に関してパターンマッチングを行い、目及び鼻、口、耳の候補群を抽出する。そして、システム制御部５０は、抽出された目の候補群の中から、予め設定された条件（例えば２つの目の距離、傾き等）を満たすものを、目の対と判断し、目の対があるもののみ目の候補群として絞り込む。システム制御部５０は、絞り込まれた目の候補群とそれに対応する顔を形成する他のパーツ（鼻、口、耳）を対応付け、また、予め設定した非顔条件フィルタを通すことで、顔を検出する。その後、システム制御部５０は、顔の検出結果に応じて上記顔情報を出力し、処理を終了する。このとき、顔の数等の特徴量をシステムメモリ５２に記憶する。
【００２３】
以上のようにライブビュー表示或いは再生表示される画像データを画像解析して、画像データの特徴量を抽出して被写体情報を検出することが可能である。本実施形態では、被写体情報として顔情報を例に挙げたが、被写体情報には他にも赤目判定や目の検出、目つむり検出、笑顔検出等の様々な情報がある。
なお、顔ＡＦと同時に顔ＡＥ、顔ＦＥ、顔ＷＢを行うことができる。顔ＡＥとは、検出された顔の明るさに合わせて、画面全体の露出を最適化することである。顔ＦＥとは、検出された顔を中心にフラッシュの調光をすることである。顔ＷＢとは、検出された顔の色に合わせて画面全体のＷＢを最適化することである。
【００２４】
図３は、本実施形態に係るデジタルカメラ１００による処理動作を示すフローチャートである。この処理は、システム制御部５０が、不揮発性メモリ５６に記録されたプログラムをシステムメモリ５２に展開して実行することで実現される。図３の処理動作に際して、撮像部２２により撮像された画像を表示部２８に逐次表示するライブビュー表示が実行されている。
ステップＳ３０１で、システム制御部５０は、顔追尾ＡＦに設定されているか、１点ＡＦに設定されているかを判定する。顔追尾ＡＦに設定されていると判定した場合、ステップＳ３０２に処理を進め、１点ＡＦに設定されていると判定した場合、ステップＳ３２４に処理を進める。
【００２５】
ステップＳ３０１において顔追尾ＡＦに設定されていると判定した場合、ステップＳ３０２で、システム制御部５０は、顔領域でＡＦを実施するフラグ（顔領域ＡＦフラグと呼ぶ）をＯＦＦにする。顔領域ＡＦフラグは、システムメモリ５２に格納される。
ステップＳ３０３で、システム制御部５０は、撮像部２２で撮像された画像中に人物の顔が検出されているか否かを判定する。例えば撮像部２２で撮像された画像において顔の大きさが所定の大きさ以上のときに、顔を検出可能であるとする。顔の検出は定期的に実施され、検出結果はシステムメモリ５２に格納される。顔が検出されていると判定した場合、ステップＳ３０４に処理を進め、顔が検出されていないと判定した場合、ステップＳ３０５に処理を進める。
【００２６】
ステップＳ３０４で、システム制御部５０は、システムメモリ５２を参照し、図４（ａ）に示すように、表示部２８に表示するスルー画像に重畳させて、顔領域を示す顔枠４０１を表示する。このようにシャッターボタン６１の半押しによる撮影準備指示がされる前に顔を検出したことに応じて、表示部２８に第１のアイテムとして顔枠４０１を表示する。顔枠４０１は、顔を囲うように、顔の大きさに基づいた大きさで表示される。なお、ステップＳ３０３において顔が検出されていない場合、顔枠４０１は表示されず、表示部２８にはライブビュー画像のみが表示される。
【００２７】
ステップＳ３０５で、システム制御部５０は、第１シャッタースイッチ信号ＳＷ１がＯＮであるか否か、すなわちシャッターボタン６１の半押しによる撮影準備指示がされたか否かを判定する。撮影準備指示がされていないと判定した場合、ステップＳ３０３に処理を戻し、撮影準備指示がされたと判定した場合、ステップＳ３０６に処理を進める。
ステップＳ３０６で、システム制御部５０は、ステップＳ３０３と同様、撮像部２２で撮像された画像中に顔が検出されているか否かを判定する。顔が検出されていると判定した場合、ステップＳ３０７に処理を進め、顔が検出されていないと判定した場合、ステップＳ３１２に処理を進める。
【００２８】
ステップＳ３０７で、システム制御部５０は、顔領域ＡＦフラグをＯＮにする。顔領域ＡＦフラグは、システムメモリ５２に格納される。顔領域ＡＦフラグは、顔が検出された状態で撮影準備指示がされたことを示すフラグである。顔領域ＡＦフラグがＯＮである場合には、検出されていた顔領域においてＡＦ処理を行うように制御する。
ステップＳ３０８で、システム制御部５０は、顔領域、すなわち顔枠４０１が表示されている位置においてＡＦ処理をし、顔領域への追尾を開始する。
ステップＳ３０９で、システム制御部５０は、ＡＦ処理を実施した結果、顔領域で合焦したか否かを判定する。顔領域で合焦したと判定した場合、ステップＳ３１０に処理を進め、顔領域で合焦していないと判定した場合、ステップＳ３１１に処理を進める。
【００２９】
ステップＳ３１０で、システム制御部５０は、図４（ｂ）に示すように、表示部２８に表示するスルー画像に重畳させて、合焦用顔枠４０２を表示する。合焦用顔枠４０２は、顔枠４０１の表示形態を変えたものであり、顔を囲う一の枠として表示される。その後、システム制御部５０は、ステップＳ３１９に処理を進める。
ステップＳ３１１で、システム制御部５０は、図４（ｃ）に示すように、表示部２８に表示するスルー画像に重畳させて、非合焦用顔枠４０３を表示する。非合焦用顔枠４０３は、顔枠４０１の表示形態を変えたものである。その後、システム制御部５０は、ステップＳ３１９に処理を進める。
【００３０】
ステップＳ３１２で、システム制御部５０は、顔領域ＡＦフラグをＯＦＦにする。
ステップＳ３１３で、システム制御部５０は、ＡＦ処理し、合焦した被写体への追尾を開始する。ＡＦ処理を実施する領域は画面全体でも良いし、画面の中央付近等の限定した領域でも良い。なお、限定した領域は画面の中央付近に限らない。また、限定した領域は、予め定められていても良いし、撮影準備指示の実施前にユーザが指定できるようにしても良い。この所定領域を所定数で分割した領域でＡＦ処理を行い、各分割した領域で合焦したか否かを判定する。本実施形態では、画面の８割を所定領域とし、横７分割、縦７分割した各領域でＡＦ処理を実施するものとする。
ステップＳ３１４で、システム制御部５０は、ステップＳ３１３においてＡＦ処理を実施した結果、合焦領域があるか否かを判定する。合焦領域があると判定した場合、ステップＳ３１５に処理を進め、合焦領域がないと判定した場合、ステップＳ３１８に処理を進める。
【００３１】
ステップＳ３１５で、システム制御部５０は、図５（ａ）に示すように、表示部２８に表示するスルー画像に重畳させて、合焦枠５０１を表示する。合焦枠５０１は、合焦領域を示す枠として表示される。図５（ａ）に示す状態は、人物が写っているが、顔の大きさが所定の大きさ以上でないため、顔検出がなされていない。このように顔を検出していない状態でシャッターボタン６１の半押しによる撮影準備指示がされたことに応じて、表示部２８に第２のアイテムとして合焦枠５０１を表示する。さらにスルー画像内の人物の大きさが大きくなると合焦領域が大きくなり、図５（ｃ）に示すように、図５（ａ）に比べて合焦枠５０１が広い範囲に表示される。よって、撮影準備指示がされる前に顔を検出した場合よりも顔の中で枠が重畳して表示されている領域が大きくなる。すなわち、合焦枠５０１（後述する顔用合焦枠５０３）が表示される場合には、顔枠４０１や合焦用顔枠４０２が表示される場合よりも顔に重畳して表示される領域が大きくなり、顔の視認性が低下しやすい。
ステップＳ３１６で、システム制御部５０は、合焦枠５０１内において顔が検出されているか否かを判定する。顔が検出されていると判定した場合、ステップＳ３１７に処理を進め、顔が検出されていないと判定した場合、ステップＳ３１９に処理を進める。
【００３２】
ステップＳ３１７で、システム制御部５０は、図５（ｄ）に示すように、表示部２８に表示するスルー画像に重畳させて、顔用合焦枠５０３を表示する。図５（ｄ）は、顔の大きさが所定の大きさ以上となり、顔検出がされて、顔のある領域の表示が合焦枠５０１から顔用合焦枠５０３となった場合の表示例を示している。顔用合焦枠５０３は、合焦領域において人物の顔が検出されたことを示している。顔用合焦枠５０３は、合焦領域内において検出された人物の顔の位置を示す表示であり、人物の顔の視認性が低下しないようにしている。なお、顔の検出されなかった領域の合焦枠５０１の表示形態は変わらない。顔用合焦枠５０３は、合焦枠５０１の表示形態を変えて、顔の表情を見やすくするようにしたものである。この場合に、例えば図５（ｄ）に示すように、顔用合焦枠５０３は、顔の大きさに応じて、その表示形態を可変とする。その後、システム制御部５０は、ステップＳ３１９に処理を進める。
【００３３】
図５（ｄ）は顔用合焦枠の一例を示しており、合焦枠５０１の表示形態を実線から点線にした顔用合焦枠５０３を示している。顔用合焦枠の表示例は、図５（ｅ）、（ｆ）に示すものでもよい。図５（ｅ）では、顔用合焦枠５０３の透過度を合焦枠のときよりも高くした表示例を示している。図５（ｆ）では、顔用合焦枠５０３を四角形から角のみを示した表示にしている。その他にも、数を少なくしたり、枠の大きさを大きくしたりしてもよい。顔用合焦枠は合焦枠と比べて、顔に重畳して表示される部分（枠と重なって見えない顔の領域）が小さくなる、又は透過度が高くなることにより顔の部分の視認性を上げる表示である。また、合焦枠は合焦範囲を示すために顔に重畳して複数表示されるが、顔用合焦枠は検出された顔の大きさに合わせて表示をするので、合焦枠が複数合わさった大きさの枠となる。言い換えれば、顔用合焦枠は検出された顔の大きさに基づいた大きさで（顔の視認性が低下しないように）表示されるが、合焦枠は顔を検出していたとしても顔の大きさに基づかず表示されているので、顔に重なり視認性が低下してしまう。しかし、顔に重なって表示されていたとしても上述したように表示形態を変えることで視認性の低下を低減することができる。なお、図５（ｇ）に示すように、顔用合焦枠５０３が顔に対して十分に小さいものとなれば、顔用合焦枠５０３の透過率を上げたり、線の数を少なくしたりするのを止めて、顔の表情を見やすくするよりも、合焦領域を示すようにしても良い。なお、顔用合焦枠の表示形態は、上述したものの他に、形状、サイズ、色等を変えてもよい。
ステップＳ３１８で、システム制御部５０は、図５（ｂ）に示すように、表示部２８に表示するスルー画像に重畳させて、非合焦表示５０２を表示する。その後、システム制御部５０は、ステップＳ３１９に処理を進める。
【００３４】
ステップＳ３１９で、システム制御部５０は、撮影準備指示が継続され、連続したＡＦ処理が継続されているか否かを判定する。撮影準備指示が継続されていると判定した場合、ステップＳ３２０に処理を進め、撮影準備指示が継続されていないと判定した場合、ステップＳ３２１に処理を進める。
ステップＳ３２０で、システム制御部５０は、顔領域ＡＦフラグがＯＮであるか否かを判定する。顔領域ＡＦフラグがＯＮであると判定した場合、ステップＳ３０８に処理を戻し、システムメモリ５２に格納されている顔検出情報に基づき、顔領域においてＡＦ処理を繰り返す。この処理を繰り返すことにより、顔を検出し続け、顔にピントを合わせ続けることができる。顔領域フラグがＯＦＦであると判定した場合、ステップＳ３１３に処理を戻し、画面の所定領域にてＡＦ処理を繰り返す。
ステップＳ３２１で、システム制御部５０は、第２シャッタースイッチ信号ＳＷ２がＯＮであるか否か、すなわちシャッターボタン６１の全押しによる撮影指示がされたか否かを判定する。撮影指示がされていると判定した場合、ステップＳ３２２に処理を進め、撮影指示がされていないと判定した場合、ステップＳ３２３に処理を進める。
ステップＳ３２２で、システム制御部５０は、撮影処理を実行して、処理を完了する。
ステップＳ３２３で、システム制御部５０は、シャッターボタン６１の押下が停止されて撮影準備指示が解除されたので、表示部２８に表示するスルー画像に重畳させて表示していたアイテムを消して、処理を完了する。
【００３５】
一方、ステップＳ３０１において１点ＡＦに設定されていると判定した場合、ステップＳ３２４で、システム制御部５０は、表示部２８の画面の中央にＡＦ枠を表示する。
ステップＳ３２５で、システム制御部５０は、ユーザによりＡＦ枠の移動操作がなされたか否かを判定する。ＡＦ枠の移動操作がなされたと判定した場合、ステップＳ３２６に処理を進め、ＡＦ枠の移動操作がなされていないと判定した場合、ステップＳ３２７に処理を進める。
ステップＳ３２６で、システム制御部５０は、ＡＦ枠の移動操作に従ってＡＦ枠を表示する位置を変更する。
【００３６】
ステップＳ３２７で、システム制御部５０は、シャッターボタン６１の半押しによる撮影準備指示がされたか否かを判定する。撮影準備指示がされていないと判定した場合、ステップＳ３２５に処理を戻し、撮影準備指示がされたと判定した場合、ステップＳ３２８に処理を進める。
ステップＳ３２８で、システム制御部５０は、ＡＦ枠が表示されている位置においてＡＦ処理を実施し、合焦枠を表示する。１点ＡＦ時は、撮影準備指示がされた後にはＡＦ枠は移動せず、合焦枠は例えばＡＦ枠の線を太く表示したものとすれば良い。
【００３７】
ステップＳ３２９で、システム制御部５０は、シャッターボタン６１の全押しによる撮影指示がされたか否かを判定する。撮影指示がされていると判定した場合、ステップＳ３３０に処理を進め、撮影指示がされていないと判定した場合、ステップＳ３３１に処理を進める。
ステップＳ３３０で、システム制御部５０は、撮影処理を実行して、処理を完了する。
ステップＳ３３１で、システム制御部５０は、撮影準備指示が継続されているか否かを判定する。撮影準備指示が継続されていると判定した場合、ステップＳ３２９に処理を戻し、撮影準備指示が継続されていないと判定した場合、ステップＳ３２４に処理を戻す。
【００３８】
以上述べたように、追尾対象とする人物の顔が未検出の状態で合焦しているときに、顔が検出された場合、合焦領域に顔があると、合焦枠５０１の表示形態を変えた顔用合焦枠５０３を表示するようにして、顔の表情を見やすくすることができる。このように撮像された画像と共にアイテムを表示部２８に表示するときに、所定の被写体の状態を視認しやすくすることができる。
顔を検出する前に、ＡＦ処理を行い、追尾を開始すると合焦枠が表示され、スルー画像における顔の大きさが大きくなっても、顔に重なるように合焦枠５０１が表示されてしまう。しかし、顔が検出されたことに応じて顔の領域の合焦枠の表示形態を変え、顔の視認性が向上するようにするので、ユーザは顔の表情を確認しつつ、顔に合焦していることを認識することができる。一方で、ＡＦ処理を行う前に顔が検出されていた場合には、顔を囲うように顔枠４０１が表示されている。よって、スルー画像内における顔の大きさが変わったり、位置が変わったりしても、検出済みの顔の大きさに合わせて顔枠を表示するので、途中で顔の視認性が低下しない。
なお、上述の実施形態では表示部２８において合焦枠等の表示を行うことを説明したがユーザがファインダを覗いており、ファインダ内表示部４１に表示をしているときにはファインダ内表示部４１において表示を行うようにしてもよい。
【００３９】
以上、本発明を実施形態と共に説明したが、上記実施形態は本発明を実施するにあたっての具体化の例を示したものに過ぎず、これらによって本発明の技術的範囲が限定的に解釈されてはならないものである。すなわち、本発明はその技術思想、又はその主要な特徴から逸脱することなく、様々な形で実施することができる。
本実施形態では、所定の被写体として人物の顔を例としたが、それに限られるものではない。例えば色や形に特徴があり、その状態を確認したいとの要求がありえるので、色や形といった特徴量に基づいて検出される被写体を対象としても良い。
また、システム制御部５０が行うものとして説明した各種処理は、１つのハードウェアが行っても良いし、複数のハードウェア（例えば複数のプロセッサや回路）が処理を分担すること行っても良い。
【００４０】
また、実施形態においては、本発明をデジタルカメラに適用した例を説明したが、本発明は、ライブビュー画像上に、検出された所定の被写体を示すアイテムの表示を制御可能な撮像制御装置であれば適用可能である。すなわち、本発明は、カメラ以外にも、カメラ機能付きの各種端末（携帯電話端末、タブレット端末、スマートフォン等）にも適用可能である。
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００４１】
２２：撮像部、２４：画像処理部、２８：表示部、５０：システム制御部、５２：システムメモリ、５６：不揮発性メモリ、１００：デジタルカメラ
【図１】
2018067802.tif 000003
【図２】
2018067802.tif 000004
【図３】
2018067802.tif 000005
【図４】
2018067802.tif 000006
【図５】
2018067802.tif 000007